(57)【要約】【課題】表示パネルの向きの検出を少ない部品で行う。【解決手段】カメラ本体２にスピーカ４を設け、カメラ本体２対し回動可能に取り付けられた表示パネル１０にホール素子１５を設ける。ホール素子１５は、表示パネル１０に設け、表示パネル１０がＬＣＤ表示面１２の表示面が撮影方向に向くよう回転されたとき、スピーカ４に近接するよう配置する。表示パネル１０が回動されホール素子１５がスピーカ４に近接すると、検出信号を出力しＣＰＵ２０がＬＣＤドライバ２７に画像の上下反転を指示し、反転画像がＬＣＤ表示面１２へ表示される。再び表示パネル１０が変位されホール素子１５がスピーカ４の近傍から外れると画像は反転されずにＬＣＤ表示面１２へ表示される。【選択図】図４
2009272930.tif 000002
【特許請求の範囲】
【請求項１】
被写体を撮影する本体と、
被写体の画像を表示する表示面を有し、前記本体に回動可能に連結された表示パネルと、
前記本体に設けられたスピーカまたはマイクと、
前記表示パネルに設けられ、前記表示パネルが回動され前記表示面が撮影方向に向けられたときに、前記スピーカまたはマイクを検出する位置にある磁気センサと、
前記磁気センサによる検出信号に基づき、前記表示面に前記画像を反転表示させる制御手段と、
を備えた撮影装置。
【請求項２】
被写体を撮影する本体と、
被写体の画像を表示する表示面を有し、前記本体に回動可能に連結された表示パネルと、
前記本体に設けられた磁気センサと、
前記表示パネルに設けられ、前記表示パネルが回動され前記表示面が撮影方向に向けられたときに、前記磁気センサに検出される位置にあるスピーカまたはマイクと、
前記磁気センサによる検出信号に基づき、前記表示面に前記画像を反転表示させる制御手段と、
を備えた撮影装置。
【発明の詳細な説明】
【技術分野】
【０００１】
本発明は、カメラ本体に表示パネルが回動可能に連結された撮影装置に関するものである。
【背景技術】
【０００２】
表示パネルが撮影方向に垂直な方向を軸としてカメラ本体に回動可能に連結され、表示面の向きが撮影者側から反対の被写体側へ向きを変えることができるデジタルカメラがある。このようなデジタルカメラを用いて、撮影者が自身を撮影するセルフ撮影を行う場合、撮影者が自身の被写体像を確認しながら撮影を行うには、表示パネルの表示面を撮影方向に向けるよう表示パネルを回転させる必要がある。このとき表示パネルの回転軸が水平方向であると、画像が上下方向に反転し非常に使い勝手が悪い。
【０００３】
そこで、カメラ本体に対する表示パネルの回転位置を検出し、表示パネルの表示面が撮影方向に向いた場合に、表示面に表示する画像を回転軸を基準に反転させるようにしたデジタルカメラが知られている（特許文献１〜３参照）。
【０００４】
特許文献１〜３に記載のデジタルカメラでは、回転位置の検出センサとしてメカニカルスイッチが用いられているが、メカニカルスイッチを用いると、構造が複雑化する傾向にあるうえ接触不良などが懸念される。
【０００５】
また、画像の反転処理を行うものではないが、カメラ本体に対する表示パネルの回転位置を、磁気センサとしてのホール素子と、被検出対象としての磁石とを用いて検出するデジタルカメラが知られている（特許文献４）。これは被接触センサであるため、メカニカルスイッチに懸念される問題は解消される。
【特許文献１】特開平６−９８２１０号公報
【特許文献２】特開平１０−６５９４６号公報
【特許文献３】特開２００４−２１４９２５号公報
【特許文献４】特開２００４−３４９８０９号公報
【発明の開示】
【発明が解決しようとする課題】
【０００６】
しかしながら、特許文献１〜３に記載のデジタルカメラに特許文献４に記載の被接触センサを適用すると、カメラ本体と表示パネルとの一方にホール素子を設け、他方に磁石を設ける必要がある。被検出対象として磁石を必要とし、部品点数が増え製造時の作業工程も増しコストアップにつながる。
【０００７】
本発明は上記事情を鑑みてなされたものであり、撮影方向に対する表示面の向きを検出し、画像の反転処理を行う撮影装置を、部品点数を少なくローコストに提供することを目的とする。
【課題を解決するための手段】
【０００８】
上記目的を達成するために本発明の撮影装置は、被写体を撮影する本体と、被写体の画像を表示する表示面を有し本体に回動可能に連結された表示パネルと、本体に設けられたスピーカまたはマイクと、表示パネルに設けられ表示パネルが回動され表示面が撮影方向に向けられたときにスピーカまたはマイクを検出する位置にある磁気センサと、磁気センサによる検出信号に基づき表示面に画像を反転表示させる制御手段と、を備えたことを特徴とする。
【０００９】
被写体を撮影する本体と、被写体の画像を表示する表示面を有し本体に回動可能に連結された表示パネルと、本体に設けられた磁気センサと、表示パネルに設けられ表示パネルが回動され表示面が撮影方向に向けられたときに磁気センサに検出される位置にあるスピーカまたはマイクと、磁気センサによる検出信号に基づき表示面に画像反転表示させる制御手段と、を備える構造も好ましい。
【発明の効果】
【００１０】
本発明によれば、撮影装置における音声入力または出力を行うためあらかじめ備えられたスピーカやマイクロフォンを磁石の代用として用いたので、被検出対象として別途の磁石を設ける必要がなく、部品点数や製造時の作業工程を削減することができる。これにより、表示面が撮影方向に向けられたときの表示パネルの向きを検出する撮影装置をローコストに提供することができる。
【発明を実施するための最良の形態】
【００１１】
図１（Ａ）に示すようにデジタルカメラ１のカメラ本体２は、前面に撮影レンズ３が設けられ、側面にスピーカ４が設けられ、図示されない背面には電源ボタン５、レリーズボタン６、モード切換スイッチ７、マイクロフォン８（全て図２参照）が設けられている。モード切換スイッチ７は、静止画撮影モード、動画撮影モード、撮影した画像を再生表示する再生モードの切換を行う。
【００１２】
カメラ本体２には連結部９を介し、表示パネル１０が取り付けられている。連結部９は、図１（Ａ）の表示パネル１０が閉じている位置から図１（Ｂ）の表示パネル１０が開いている位置までの９０度の範囲で、ヒンジ１１によりカメラ本体２に対し回動可能に取り付けられている。
【００１３】
表示パネル１０はＬＣＤ表示面１２を有し、ヒンジ１３により連結部９に回動可能に取り付けられている。表示パネル１０は、撮影方向に垂直な回転軸を中心に図１（Ｂ）の位置からＡ、Ｂの両方向に９０度の範囲で回動可能となっている。
【００１４】
表示パネル１０には、ホール素子１５が内蔵されている。ホール素子１５は、表示パネル１０がヒンジ１３を軸にしてＢ方向に９０度回転させ、ＬＣＤ表示面１２が撮影方向に向けられたとき、スピーカ４の近傍になる位置に設けられている。スピーカ４には磁石が内蔵されているため、ホール素子１５はスピーカ４の近傍となったときに、スピーカ４を被検出対象としてその磁気を検出する。
【００１５】
次に、デジタルカメラ１の電気的構成について説明する。図２に示すように、ＣＰＵ２０には電源ボタン５、レリーズボタン６、モード切換スイッチ７、ホール素子１５、タイミングジェネレータ２１、データバス２２が接続されている。データバス２２には画像入出力コントローラ２３、ＲＡＭ２４、画像信号処理回路２５、圧縮伸張処理部２６、ＬＣＤドライバ２７、音声信号処理回路２８、メモリコントローラ２９が接続されている。
【００１６】
撮像部３０は、撮影レンズ３、ＣＣＤ３１、ＣＤＳ３２、ＡＭＰ３３、Ａ／Ｄ変換器３４から構成されている。撮影レンズ３の背後に、撮影レンズ３を透過した被写体光が撮像されるＣＣＤ３１が配置されている。
【００１７】
ＣＣＤ３１には、タイミングジェネレータ２１からクロック信号が入力される。ＣＣＤ３１から出力された信号は、ＣＤＳ３２に入力され、ＣＣＤ３１の各セルの蓄積電荷量に正確に対応したＲ、Ｇ、Ｂの画像データとして出力される。ＣＤＳ３２から出力された画像データは、ＡＭＰ３３で増幅され、Ａ／Ｄ変換器３４でデジタルデータに変換される。
【００１８】
画像入力コントローラ２３は、ＣＰＵ２０の命令によりＣＣＤ３１、ＣＤＳ３２、ＡＭＰ３３、Ａ／Ｄ変換器３４を制御し、Ａ／Ｄ変換器３４から出力された画像データをＲＡＭ２４に書き込む。
【００１９】
画像信号処理回路２５は、ＲＡＭ２４に記憶された画像データに対して、例えば階調変換、ガンマ変換、ホワイトバランスなどの画像処理を施す。
【００２０】
画像信号処理回路２５で信号処理され得られた本画像データは、ＲＡＭ２４に一時的に記憶され、ＲＡＭ２４から圧縮伸張処理部２６に送られる。圧縮伸張処理部２６で生成された画像ファイルは、メモリコントローラ２９によりメモリカード１６に記憶される。
【００２１】
ＲＡＭ２４には、ＬＣＤ表示面１２をビューファインダとして使用する際に、解像度の低い画像データや、動画撮影時の音声データが一時的に記憶される。ＬＣＤ表示面１２はＬＣＤドライバ２７を介し、ＲＡＭ２４に記憶された画像データを表示する。ＬＣＤドライバ２７は画像反転機能を有し、ＣＰＵ２０より表示画像の反転指示を受けた場合、ＬＣＤ表示面１２への画像表示を駆動制御し、画像データを反転させてＬＣＤ表示面１２に表示させる。
【００２２】
音声信号処理回路２８は、所定の信号処理を行う回路のほか、Ａ／Ｄ変換器、Ｄ／Ａ変換器及びアンプを備える。マイクロフォン８より出力されたアナログの音声信号は音声信号処理回路２８に送られアンプで増幅された後、Ａ／Ｄ変換器にてデジタルの音声データに変換され、所定の信号処理が行われる。この音声データはＲＡＭ２４に一時的に記憶される。また、音声出力用の音声データは、音声信号処理回路２８において所定の信号処理が施され、Ｄ／Ａ変換器でアナログの音声信号に変換され、アンプを介してスピーカ４から音声として出力される。
【００２３】
図３に、ＣＰＵ２０による表示画像の反転制御について示す。表示パネル１０が図１（Ｂ）のＢ方向に９０度回動されホール素子１５がスピーカ４に近づくと、ホール素子１５がスピーカ４に内蔵された磁石の磁気を検知する（Ｓ１でＹｅｓ）。ホール素子１５は検知信号を出力し、これをＣＰＵ２０が受信する。（Ｓ２）。ＣＰＵ２０はＬＣＤドライバ２７へ画像の上下反転を指示する（Ｓ３）。指示を受信したＬＣＤドライバ２７はＲＡＭ２４に一時保存された画像データを読み出し、反転処理を施してＬＣＤ表示面１２へ反転画像を表示させる（Ｓ４）。デジタルカメラ１の電源が入っている状態であれば（Ｓ５でＹｅｓ）これらの動作が常に繰り返される。
【００２４】
次に、上記実施形態の作用について説明する。このデジタルカメラで被写体を撮影する場合には、図１（Ａ）の収納時の状態から図１（Ｂ）の姿勢に表示パネル１０を開き、ＡまたはＢ方向に９０度回転させ、図４（Ａ）の姿勢にさせる。電源ボタン５を押しデジタルカメラ１を起動させる。
【００２５】
モード切換スイッチ７を操作し静止画撮影モードにすると、ＬＣＤ表示面１２にスルー画像が表示される。図４（Ａ）のようにＬＣＤ表示面１２が撮影方向以外に向けられるとき、ホール素子１５はスピーカ４から離れており磁気を検出しないため、被写体画像の反転処理は行われず、被写体画像はそのままＬＣＤ表示される。
【００２６】
撮影者が自身を被写体として撮影する場合、図４（Ａ）の状態では、撮影者にとってＬＣＤ表示面１２は裏面になり、スルー画像を確認しながらの撮影は不可能である。この場合は、表示パネル１０を図４（Ａ）の姿勢から図１（Ｂ）の状態へ戻し、さらにＢ方向へ９０度回転させ、図４（Ｂ）の姿勢として、撮影方向にＬＣＤ表示面１２を向けることで、スルー画像を確認することができる。
【００２７】
このとき表示パネル１０は図４（Ａ）の姿勢から１８０度回転されており、ＬＣＤ表示面１２の上下は反転することになるが、スルー画像は反転処理が施されているため上下が逆に見えることはなく、撮影者は自身の画像が鏡像として表示されたスルー画像を確認しながらセルフ撮影を行うことができる。
【００２８】
画像反転処理に関しては、上記の電気的構成にて説明した図３に示すとおりである。画像の反転表示が行われる位置は、表示パネル１０が図４（Ｂ）の位置にある場合のみで、表示パネル１０を再び回動させ、ホール素子１５がスピーカ４の近傍から外れると（図３のＳ１でＮｏ）、ホール素子１５は磁気を検知せず、検知信号は出力されない。そのためＬＣＤ表示面ドライバ２７は画像の反転処理は行わず、再び通常撮影時と同様に、上下反転処理を施さず画像をＬＣＤ表示面１２へ表示させる。ＬＣＤ表示面１２の向きを検出することで、通常撮影かセルフ撮影かを判断し、いずれの場合も撮影者にとって画像の上下が逆に見えないよう表示させることが可能である。
【００２９】
レリーズボタン６が半押し操作されると、図示しない露光制御回路やフォーカス回路が作動して露出制御及びフォーカシングが行われ、撮影準備状態となる。撮影準備の完了後、レリーズボタン６の全押し操作に応答して被写体の撮影が実行される。
【００３０】
露光終了後にＣＣＤ３１から１フレーム分の画像信号が読み出され、Ａ／Ｄ変換器３４及び画像信号処理回路２５にて所定の信号処理が施され、画像データがＲＡＭ２４に書き込まれ、画像データが圧縮伸張処理部２６に送られる。圧縮画像データは、メモリコントローラ２９を経由してメモリカード１６へ記録される。
【００３１】
モード切換スイッチ７で動画撮影モードを選択した場合は、動画撮影と同時にマイクロフォン８が作動し、入力された音声データは、音声信号処理回路２８を介しデータ処理が行われた後にＲＡＭ２４に一時的に記憶され、メモリカード１６に保存される。再生モードでは、メモリカード１６に記憶された画像データがＬＣＤ表示面１２に再生され、動画再生の場合は記録された音声もスピーカ４に再生される。
【００３２】
上記実施形態では、カメラ本体２はスピーカ４を有し表示パネル１０はホール素子１５を内蔵するが、カメラ本体２にホール素子１５を内蔵し表示パネルにスピーカ４を設けてもよい。また、表示パネル１０が図４（Ｂ）に示す姿勢にあるとき、スピーカ４の近傍となる位置にホール素子１５を設けることができれば、スピーカ４とホール素子１５とは各々、上記実施形態とは異なる位置に設けてもよい。
【００３３】
上記実施形態では、被検出対象をスピーカ４にしているが、表示パネル１０が図４（Ｂ）に示す姿勢にあるとき、ホール素子１５の近傍となる位置にマイクロフォン８を設けることができれば、マイクロフォン８も磁石を内蔵しているのでこれを被検出対象としてもよい。同様にデジタルカメラが有する部品で磁石を内蔵するものであれば、レンズ駆動用モータなど他の部品を被検出対象としてもよい。
【図面の簡単な説明】
【００３４】
【図１】デジタルカメラの外観を示す斜視図であり、（Ａ）は表示パネルが閉じ位置にある場合、（Ｂ）は表示パネルが開き位置にある場合である。
【図２】デジタルカメラの電気的構成を示すブロック図である。
【図３】表示画像の反転制御を説明するフローチャートである。
【図４】（Ａ）通常撮影時の表示パネルの姿勢を示す斜視図であり、（Ｂ）はセルフ撮影時の表示パネルの姿勢を示す斜視図である。
【符号の説明】
【００３５】
１  デジタルカメラ
２  カメラ本体
３  撮影レンズ
４  スピーカ
８  マイクロフォン
９  連結部
１０  表示パネル
１１  ヒンジ
１２  ＬＣＤ表示面
１３  ヒンジ
１５  ホール素子
２０  ＣＰＵ
２７  ＬＣＤドライバ
【図１】
2009272930.tif 000003
【図２】
2009272930.tif 000004
【図３】
2009272930.tif 000005
【図４】
2009272930.tif 000006